(57)【特許請求の範囲】
【請求項１】
電動送風機を備える掃除機本体と、床用吸込具と、一端が前記掃除機本体に接続されるホースユニットと、一端が前記ホースユニットの他端に接続され、他端が前記床用吸込具に接続される延長管と、を備え、前記床用吸込具、前記ホースユニット、及び前記延長管のうちの何れかには、塵埃が流れる経路を流れる塵埃の有無に応じて信号を発生する状態信号発生手段と、前記状態信号発生手段に動作電圧を与える電源発生手段と、が設けられた第１の装置が配置されており、前記掃除機本体には、前記第１の装置に動作用電源を供給するとともに、前記第１の装置からの出力信号に応じて前記電動送風機を制御する第２の装置が配置されており、前記第１の装置および前記第２の装置は、前記第１の装置への動作用電源の供給と前記第１の装置からの出力信号の伝達とを２本の配線を用いて行うように構成されており、前記第１の装置は、前記第１の装置と前記第２の装置との間の配線間に印加される電圧値Ｖｉを出力信号として出力するとともに、前記状態信号発生手段からの信号に応じて前記電圧値Ｖｉを変化させており、前記第２の装置は、一定電圧値Ｖｂから前記電圧値Ｖｉを引いた電圧を電圧値Ｖｏとして検知し、前記電圧値Ｖｏに応じて前記電動送風機を制御している電気掃除機。
【請求項２】
電源発生手段の電圧値は常に一定電圧Ｖｅに保ち、第１の装置に内蔵した抵抗器を前記電源発生手段に直列に接続し、第２の装置に一定電流値を発生する定電流源手段を設け、前記定電流源手段からの電流Ｉｏを前記抵抗器を通る経路に供給するとともに、前記抵抗器の抵抗値Ｒａを変化させることにより、第２の装置に信号を伝達するように構成した請求項１記載の電気掃除機。
【請求項３】
第１の装置と第２の装置は、それらの間を使用者が工具なしに容易に着脱できる構成にした請求項１または２に記載の電気掃除機。
【請求項４】
第１の装置と第２の装置間の配線間に印加する電圧は、第１の装置と第２の装置との接続部位において接触不良が発生しにくい電圧に設定した請求項１〜３のいずれか１項に記載の電気掃除機。
【請求項５】
第１の装置と第２の装置間の配線に流す電流は、第１の装置と第２の装置との接続部位において接触不良が発生しにくい電流に設定した請求項１〜３のいずれか１項に記載の電気掃除機。
【請求項６】
表示手段と、任意の電圧値Ｖｚを有する定電圧発生手段とを第１の装置と第２の装置間の配線に並列接続し、第１の装置の出力電圧値Ｖｉが電圧値Ｖｚよりも高い場合に表示するようにした請求項１〜５のいずれか１項に記載の電気掃除機。
【請求項７】
表示手段と、任意の電圧値Ｖｚを有する定電圧発生手段とを内蔵する第３の装置を第１の装置と第２の装置間の配線に並列接続し、第１の装置の出力電圧値Ｖｉが電圧値Ｖｚよりも高い場合に表示するようにした請求項１〜５のいずれか１項に記載の電気掃除機。
【発明の詳細な説明】
【０００１】
【発明の属する技術分野】
本発明は、異なる位置に配置した第１の装置と第２の装置とで構成した通信装置並びにこの通信装置による通信機能を備えた電気掃除機に関するものである。
【０００２】
【従来の技術】
従来、この種の通信装置による通信機能を備えた電気掃除機は図４および図５に示すように構成していた。以下、その構成について説明する。
【０００３】
図４および図５に示すように、ホースユニット１は、第１の装置を構成しており、塵埃検知手段２は状態信号発生手段を構成し、塵埃が流れる経路に発光ダイオード３とそれに対向して受光素子（フォトダイオード）４を配置し、演算増幅器５などで構成している。
【０００４】
塵埃を検知しないときは、受光素子４の出力変化は無いので演算増幅器５の出力は‘Ｈ’レベルで，後段の比較器５ａの出力も‘Ｈ’レベルとなる。塵埃を検知すると、受光素子４の出力は変化するため、コンデンサによって微分され演算増幅器５の出力及びその後段の出力は‘Ｌ’レベルとなる。
【０００５】
表示手段６は塵埃検知手段２で塵埃を検知したとき表示するものである。つまり、塵埃を検知すると比較器５ａが‘Ｌ’レベルとなるので、その比較器５ａの出力を入力している表示手段６側の比較器６ａの出力も‘Ｌ’レベルとなり、比較器６ａの出力側に接続された発光素子６ｂに電流が流れ点灯する構成である。
【０００６】
電源発生手段７は、塵埃検知手段２および表示手段６に動作電圧を与えるもので、電源用ＩＣを用いてその出力電圧Ｖｅを５Ｖに設定しており、これら塵埃検知手段２、表示手段６および電源発生手段７をホースユニット（第１の装置）１の一端側に設けた手元操作部８に内蔵している。
【０００７】
掃除機本体９は、第２の装置を構成しており、電動送風機１０、集塵袋（図示せず）を内蔵し、接続口１１にホースユニット１の他端を接続している。電動送風機１０は、塵埃検知手段２の出力を受けて位相制御角を決定する位相制御用ＩＣ１２により制御されており、位相制御用ＩＣ１２の出力で双方向性サイリスタ１３にオン信号を出力する構成としている。
【０００８】
この位相制御用ＩＣ１２は入力５ピンを基準として動作するもので、入力７ピンでこのＩＣ動作電源を発生し、入力８ピンから交流電源を入力しゼロボルトを検出している。そして、反転入力３ピンと非反転入力４ピンの電圧を比較して、反転入力３ピンの入力電圧が非反転入力４ピンの入力電圧より高くなると出力２ピンから入力５ピン電圧（回路の基準電圧の０Ｖ）が出力される。出力６ピンはパルス出力であり、入力８ピンで検出したゼロボルトと出力２ピンからの情報（ＩＣで内部接続されている）により、交流半サイクル毎（ゼロボルト検出毎）にパルスを出力する構成となっている。そこで、この出力６ピンを反転入力３ピンに接続したコンデンサに接続すると、交流半サイクル毎にコンデンサの充放電が行われて位相制御角を演算することができる。
【０００９】
ここで、ホースユニット１と掃除機本体９とは、３線の配線１４で接続している。また、ホースユニット１には延長管１５を介して床用吸込具４６を連結している。
【００１０】
上記構成において図６および図７を参照しながら動作を説明する。電動送風機１０を回転させた状態で、塵埃検知手段２の発光ダイオード３と受光素子４との間の経路に塵埃が流れていないときは、図６（ａ）に示すように、鋸歯状波で示す位相制御用ＩＣ１２の入力３ピンの電圧Ｖ３（コンデンサの充放電により発生する電圧）に対して、ホースユニット１からの出力電圧、すなわち、比較器５ａからの出力は’Ｈ’なので、位相制御用ＩＣ１２の入力４ピンへの入力電圧Ｖ４は高い。
【００１１】
このとき、位相制御用ＩＣ１２の出力２ピンからの出力電圧Ｖ２は、図６（ｂ）に示すように、４ピンの入力電圧Ｖ４が３ピンの入力電圧Ｖ３より高いとき出力２ピンから出力されるため、電動送風機１０に印加される電圧は図６（ｃ）に示すようになり、電動送風機１０の回転数は低く制御される。このとき、表示手段６は消灯している。
【００１２】
つぎに、塵埃検知手段２により塵埃を検知すると、図７（ａ）に示すように、鋸歯状波で示す位相制御用ＩＣ１２の３ピンの電圧Ｖ３に対して、ホースユニット１からの出力電圧、すなわち、比較器５ａからの出力は’Ｌ’になるので、位相制御用ＩＣ１２の４ピンの入力Ｖ４は低くなる。
【００１３】
このとき、位相制御用ＩＣ１２の出力２ピンからの出力電圧Ｖ２は、図７（ｂ）に示すように、入力４ピンの入力電圧Ｖ４が入力３ピンの入力電圧Ｖ３より高いとき入力２ピンから出力されるため、電動送風機１０に印加される電圧は図７（ｃ）に示すようになり、電動送風機１０の回転数は高く制御される。このとき、表示手段６は点灯する。
【００１４】
以前は手元操作部８に可変抵抗器（ボリューム）を用いて、掃除機本体９とホースユニット１とを２線で接続し、掃除機本体９の電動送風機１０の入力設定を行っていたが、このような構成では、手元操作部８で多機能な設定ができず、高付加価値化の流れの中で、上述のように、運転状態の設定やそれに対応した表示を手元操作部８で行うような構成になってきている。
【００１５】
【発明が解決しようとする課題】
しかしながら、このような従来の構成では、ホースユニット１と掃除機本体９との間には、電源線２本に加えて信号線として最低でも１本が必要となり、掃除機本体９の接続口１１には最低でも３接点を設け、ホース内に３本の導線を設ける必要性があり、このためにコスト高になりホースの重量も増加するという問題を有していた。
【００１６】
ところで、掃除機を使用しないときにはホースユニット１を掃除機本体９から外して収納できるように、接続口１１に着脱可能に接続するよう構成しているが、掃除の際に接続口１１に塵埃が侵入したり、塵埃が蓄積して接触不良に至る危険性があるので、接点金属のめっきなどの対策に加えて、電気的にも接触不良が起こりにくい電圧・電流（一般的に１５Ｖ１０ｍＡ程度以上）に設定することが必要である。
【００１７】
本発明は上記従来の課題を解決するもので、異なる位置に配置した第１の装置と第２の装置との間の接続を省配線とし、接続の信頼性を向上することを第１の目的としている。
【００１８】
また、ホースユニットと掃除機本体との間を省配線とし、接続の信頼性を向上し、ホースユニットに設けた手元操作部より掃除機本体内の電動送風機を確実に制御できるようにすることを第２の目的としている。
【００１９】
【課題を解決するための手段】
上記第１及び第２の目的を達成するために本発明は、電動送風機を備える掃除機本体と、床用吸込具と、一端が前記掃除機本体に接続されるホースユニットと、一端が前記ホースユニットの他端に接続され、他端が前記床用吸込具に接続される延長管と、を備え、前記床用吸込具、前記ホースユニット、及び前記延長管のうちの何れかには、塵埃が流れる経路を流れる塵埃の有無に応じて信号を発生する状態信号発生手段と、前記状態信号発生手段に動作電圧を与える電源発生手段と、が設けられた第１の装置が配置されており、前記掃除機本体には、前記第１の装置に動作用電源を供給するとともに、前記第１の装置からの出力信号に応じて前記電動送風機を制御する第２の装置が配置されており、前記第１の装置および前記第２の装置は、前記第１の装置への動作用電源の供給と前記第１の装置からの出力信号の伝達とを２本の配線を用いて行うように構成されており、前記第１の装置は、前記第１の装置と前記第２の装置との間の配線間に印加される電圧値Ｖｉを出力信号として出力するとともに、前記状態信号発生手段からの信号に応じて前記電圧値Ｖｉを変化させており、前記第２の装置は、一定電圧値Ｖｂから前記電圧値Ｖｉを引いた電圧を電圧値Ｖｏとして検知し、前記電圧値Ｖｏに応じて前記電動送風機を制御している電気掃除機である。
【００２０】
これにより、異なる位置に配置した第１の装置と第２の装置との間を省配線とすることができ、接続の信頼性を向上することができる。
【００２１】
また、ホースユニットと掃除機本体との間を省配線とすることができて、接続の信頼性を向上することができ、ホースユニットに設けた手元操作部より掃除機本体内の電動送風機を確実に制御することができる。
【００２２】
【発明の実施の形態】
本発明の請求項１に記載の発明は、電動送風機を備える掃除機本体と、床用吸込具と、一端が前記掃除機本体に接続されるホースユニットと、一端が前記ホースユニットの他端に接続され、他端が前記床用吸込具に接続される延長管と、を備え、前記床用吸込具、前記ホースユニット、及び前記延長管のうちの何れかには、塵埃が流れる経路を流れる塵埃の有無に応じて信号を発生する状態信号発生手段と、前記状態信号発生手段に動作電圧を与える電源発生手段と、が設けられた第１の装置が配置されており、前記掃除機本体には、前記第１の装置に動作用電源を供給するとともに、前記第１の装置からの出力信号に応じて前記電動送風機を制御する第２の装置が配置されており、前記第１の装置および前記第２の装置は、前記第１の装置への動作用電源の供給と前記第１の装置からの出力信号の伝達とを２本の配線を用いて行うように構成されており、前記第１の装置は、前記第１の装置と前記第２の装置との間の配線間に印加される電圧値Ｖｉを出力信号として出力するとともに、前記状態信号発生手段からの信号に応じて前記電圧値Ｖｉを変化させており、前記第２の装置は、一定電圧値Ｖｂから前記電圧値Ｖｉを引いた電圧を電圧値Ｖｏとして検知し、前記電圧値Ｖｏに応じて前記電動送風機を制御している電気掃除機であり、第１の装置への動作用電源の供給と第１の装置からの出力信号の伝達を２本の配線を用いて、異なる位置に配置した第１の装置と第２の装置との間を省配線とすることができ、接点数や配線数を削減でき、コストを低減できるとともに、接続の信頼性を向上することができる。また、第１の装置から出力する電圧値Ｖｉを、第２の装置にて一定電圧との差の電圧として検知することで、確実に検知することができ、信号処理することができる。
【００２３】
請求項２に記載の発明は、上記請求項１に記載の発明において、電源発生手段の電圧値は常に一定電圧Ｖｅに保ち、第１の装置に内蔵した抵抗器を前記電源発生手段に直列に接続し、第２の装置に一定電流値を発生する定電流源手段を設け、前記定電流源手段からの電流Ｉｏを前記抵抗器を通る経路に供給するとともに、前記抵抗器の抵抗値Ｒａを変化させることにより、第２の装置に信号を伝達するように構成した電気掃除機であり、第１の装置から出力する電圧値Ｖｉを、第１の装置にて抵抗器の抵抗値Ｒａを変化させることにより第２の装置に信号を伝達することで、第２の装置に確実に伝達することができ、信号処理することができる。また、第２の装置からの出力電流は一定なので、定電圧Ｖｂの発生手段を小型化・低コスト化することができる。
【００２４】
請求項３に記載の発明は、上記請求項１または２に記載の発明において、第１の装置と第２の装置は、それらの間を使用者が工具なしに容易に着脱できる構成にした電気掃除機であり、第１の装置と第２の装置とをどのような位置にでも配置することができ、使用性を向上することができる。
【００２５】
請求項４に記載の発明は、上記請求項１〜３に記載の発明において、第１の装置と第２の装置間の配線間に印加する電圧は、第１の装置と第２の装置との接続部位において接触不良が発生しにくい電圧に設定した電気掃除機であり、第１の装置と第２の装置との間の配線間に印加する電圧を、電気的に接触不良が起こりにくい電圧（一般的に１５Ｖ以上）である１８Ｖ以上とすることにより、第１の装置と第２の装置との接続部位において接触不良が発生しにくくすることができる。
【００２６】
請求項５に記載の発明は、上記請求項１〜３に記載の発明において、第１の装置と第２の装置間の配線に流す電流は、第１の装置と第２の装置との接続部位において接触不良が発生しにくい電流に設定した電気掃除機であり、第１の装置と第２の装置との間の配線に流す電流を、電気的に接触不良が起こりにくい電流（一般的に１０ｍＡ以上）である１５ｍＡ以上することにより、第１の装置と第２の装置との接続部位において接触不良が発生しにくくすることができる。
【００２７】
請求項６に記載の発明は、上記請求項１〜５に記載の発明において、表示手段と、任意の電圧値Ｖｚを有する定電圧発生手段とを第１の装置と第２の装置間の配線に並列接続し、第１の装置の出力電圧値Ｖｉが電圧値Ｖｚよりも高い場合に表示するようにした電気掃除機であり、塵埃の有無の状態変化を、簡単な構成にて第２の装置内で表示することができる。
【００２８】
請求項７に記載の発明は、上記請求項１〜５に記載の発明において、表示手段と、任意の電圧値Ｖｚを有する定電圧発生手段とを内蔵する第３の装置を第１の装置と第２の装置間の配線に並列接続し、第１の装置の出力電圧値Ｖｉが電圧値Ｖｚよりも高い場合に表示するようにした電気掃除機であり、表示手段を使用者が目視しやすい部位に配置する第３の装置に内蔵できるなど自由に配置することができる。
【００２９】
【実施例】
以下、本発明の実施例について、図面を参照しながら説明する。なお、従来例と同じ構成のものは同一符号を付して説明を省略する。
【００３０】
（実施例１）
図１および図２に示すように、ホースユニット１６は、第１の装置を構成しており、塵埃検知手段１７は状態信号発生手段を構成し、塵埃が流れる経路に発光ダイオード３とそれに対向して受光素子（フォトダイオード）４を配置し、演算増幅器１８、トランジスタ１９、ツェナーダイオード２０、固定抵抗器２１（抵抗値は２４０Ω）などで構成し、塵埃検知手段１７の消費電流は１０ｍＡ〜３５ｍＡに設定している。ここで、消費電流に幅があるのは、発光電流のばらつきが大きな要因である。
【００３１】
電源発生手段７は、塵埃検知手段１７に動作電圧を与えるもので、従来例と同様に構成し、塵埃検知手段１７とともにホースユニット１６（第１の装置）の手元操作部２２に内蔵している。なお、電源発生手段７自体の消費電流は５ｍＡであるので、ホースユニット（第１の装置）の消費電流は１５ｍＡ〜４０ｍＡとなる。
【００３２】
掃除機本体２３は、第２の装置を構成しており、電動送風機１０、集塵袋（図示せず）を内蔵し、接続口２４にホースユニット１６を接続している。ここで、ホースユニット１６と掃除機本体２３とは、２線の配線２５で接続している。
【００３３】
掃除機本体（第２の装置）２３内にはホースユニット（第１の装置）１６からの出力信号を受ける固定抵抗器２６（抵抗値は２００Ω）を設けてあり、ホースユニット１６内の塵埃検知手段１７から出力する電圧値Ｖｉ（Ｖｉは配線２５間に印加される電圧）と固定抵抗器２６との両端に、一定電圧Ｖｂ（本実施例では３２Ｖ）を印加し、塵埃の有無などの状態信号に応じて、電圧値Ｖｉを塵埃検知手段１７にて変化させることにより、掃除機本体２３に信号を伝達するように構成している。
【００３４】
掃除機本体（第２の装置）２３は、塵埃検知手段１７の出力を受けて、位相制御角を決定する位相制御用ＩＣ１２の出力により、双方向性サイリスタ１３を介して、電動送風機１０を制御するよう構成している。このとき、演算増幅器１８の後段の比較器１８ａの入力端子は従来例とは逆にしているため、塵埃検知手段１７にて塵埃を検知していないときは、掃除機本体２３での検知電圧Ｖｏは高く、塵埃検知手段１７にて塵埃を検知しているときは、掃除機本体２３での検知電圧Ｖｏは低くなる。
【００３５】
表示手段２８は、任意の電圧値Ｖｚを有するツェナーダイオード２９を直列に接続し、ホースユニット１６と掃除機本体２３間の配線に並列接続し、ホースユニット１６の出力電圧値Ｖｉが電圧値Ｖｚよりも高い場合に表示するように構成している。
【００３６】
上記構成において動作を説明する。電動送風機１０を回転させた状態で、塵埃検知手段１７により塵埃を検知している状態では、トランジスタ１９はオフであるため、ホースユニット（第１の装置）１６の出力電圧Ｖｉは、
Ｖｉ＝（電源発生手段７の入力電圧）
＋（ホースユニットで消費する電流）×（固定抵抗器２１の抵抗値）
となる。本実施例では、このときの電圧、すなわち接点間電圧Ｖｉは２４Ｖ〜２９Ｖとして接触不良が起きにくい電圧に設定している。逆説的になるが、電源発生手段７の入力電圧は、上記の関係が成り立つような下記電圧となっている。
【００３７】
消費電流１５ｍＡのときは、
２４Ｖ−（１５ｍＡ）×（２４０Ω）＝２０．４Ｖ
消費電流４０ｍＡのときは、
２９Ｖ−（４０ｍＡ）×（２４０Ω）＝１９．４Ｖ
したがって、掃除機本体（第２の装置）２３での検知電圧Ｖｏは下記のように、３Ｖ〜８Ｖとなる。
【００３８】
Ｖｏ＝Ｖｂ−Ｖｉ＝３２Ｖ２４Ｖ＝８Ｖ
（＝４０ｍＡ×２００Ω＝８Ｖ）
Ｖｏ＝Ｖｂ−Ｖｉ＝３２Ｖ２９Ｖ＝３Ｖ
（＝１５ｍＡ×２００Ω＝３Ｖ）
このとき、表示手段２８が点灯し、塵埃検知手段１７により塵埃を検知していることを表示する。
【００３９】
つぎに、塵埃検知手段１７により塵埃を検知していない場合は、トランジスタ１９がオンし、ツェナーダイオード２０の電圧がホースユニット（第１の装置）１６の両端電圧となる。本実施例では、ツェナーダイオード２０のツェナー電圧Ｖｚは１８Ｖとしている。
【００４０】
このため、塵埃を検知しない状態では、ホースユニット（第１の装置）１６の出力電圧、すなわち接点間電圧Ｖｉは１８Ｖとなるので、掃除機本体（第２の装置）２３での検知電圧Ｖｏは１４Ｖ（＝３２Ｖ１８Ｖ）となり、この場合のホースユニット１６の全消費電流は、１４Ｖ２００Ω＝７０ｍＡとなる。このとき、表示手段２８は消灯する。
【００４１】
このようにして、ホースユニット１６からの状態信号を掃除機本体２３にて出力することができ、塵埃検知手段１７にて塵埃を検知していないときは、位相制御用ＩＣ１２の２ピンからの出力電圧Ｖ２は、図６（ｂ）に示すようになり、電動送風機１０に印加される電圧は図６（ｃ）に示すようになり、電動送風機１０の回転数は低く制御される。
【００４２】
また、塵埃検知手段１７にて塵埃を検知しているときは、位相制御用ＩＣ１２の２ピンからの出力電圧Ｖ２は、図７（ｂ）に示すようになり、電動送風機１０に印加される電圧は図７（ｃ）に示すようになり、電動送風機１０の回転数は高く制御される。
【００４３】
このように本実施例によれば、ホースユニット（第１の装置）１６と掃除機本体（第２の装置）２３とを２線の配線２５で接続し、掃除機本体２３からホースユニット１６へ動作電源を供給すると同時に、ホースユニット１６からの状態信号を掃除機本体２３に出力することができ、その出力は極めて検知しやすい直流電圧の絶対値で出力しているため、複雑な処理は不要なため、マイクロプロセッサなどは必要ではなく、低コスト化と開発時間の短縮を図ることができる。
【００４４】
また、ホースユニット１６を掃除機本体２３の接続口２４に接続することにより、使用者が工具なしに容易に着脱し、ホースユニット１６と掃除機本体２３との間を接続することができ、使用性を向上することができる。
【００４５】
また、ホースユニット１６と掃除機本体２３の接点について、塵埃があるときは、２４Ｖ〜２９Ｖ１５ｍＡ〜４０ｍＡで、塵埃がないときは、１８Ｖ、７０ｍＡであり、接触不良が極めて起きにくい設定であり、ホースユニット１６と掃除機本体２３の接続部位において接触不良が発生しにくくすることができる。
【００４６】
ここで、固定抵抗器２１、２６の設定を適切にすれば、電源発生手段７として電源用ＩＣではなく、たとえばツェナーダイオードを用いることもできる。
【００４７】
なお、本実施例では、状態信号発生手段として塵埃検知手段１７について説明したが、運転状態の設定を行うスイッチ信号を用いてもよく、また、モータへの制御信号を用いてもよい。
【００４８】
また、表示手段２８は、塵埃があるときに点灯させるようにしているが、ＮＯＴ回路などを用いてこの論理を逆にして、塵埃がないときに発光素子を点灯させてもよい。
【００４９】
さらに、表示手段２８を第１の装置とは別の第３の装置に内蔵することにより、表示手段２８を使用者が目視しやすい部位に配置など、自由に配置することができる。
【００５０】
（実施例２）
図３に示すように、ホースユニット３０は、第１の装置を構成しており、塵埃検知手段３１は状態信号発生手段を構成し、塵埃が流れる経路に発光ダイオード３とそれに対向して受光素子（フォトダイオード）４を配置し、演算増幅器１８、トランジスタ１９、３２ツェナーダイオード３３、固定抵抗器３４、３５（抵抗値はいずれも２００Ω）などで構成している。
【００５１】
この内、固定抵抗器３４は塵埃を検知しないときオンするトランジスタ１９、３２によって短絡されるように構成している。ツェナーダイオード３３は、電圧を１０Ｖに設定している。また、本実施例でも、塵埃検知手段３１の消費電流は１０ｍＡ〜３５ｍＡ、ホースユニット３０の消費電流は１５ｍＡ〜４０ｍＡである。
【００５２】
定電流手段３６は、掃除機本体（第２の装置）３７に内蔵され、本実施例ではＩｏとして、ホースユニット（第１の装置）３０に必要な最大電流である４０ｍＡに設定している。
【００５３】
そして、ホースユニット（第１の装置）３０と掃除機本体（第２の装置）３７とは、２本の配線２５で接続し、ホースユニット３０内の塵埃検知手段３１から出力する電圧値Ｖｉ（Ｖｉは配線２５間に印加される電圧）と定電流手段３６との両端に、一定電圧Ｖｂ（本実施例では３２Ｖ）を印加し、塵埃の有無などの状態信号に応じて、電圧値Ｖｉを塵埃検知手段３１にて変化させることにより、掃除機本体３７に信号を伝達するように構成している。他の構成は上記実施例１と同じであり、同一符号を付して説明を省略する。
【００５４】
上記構成において動作を説明する。塵埃検知手段３１により塵埃を検知している状態では、トランジスタ１９、３２はオフのため、ホースユニット（第１の装置）３０の出力電圧Ｖｉは、
Ｖｉ＝（電源発生手段７の入力電圧）
＋（定電流源手段３６からの供給電流）×（抵抗値Ｒａ）
となる。ここで、抵抗値Ｒａは、固定抵抗器３４、３５の合成抵抗値であるので、
Ｖｉ＝１０Ｖ＋（４０ｍＡ）×（２００Ω＋２００Ω）
＝２６Ｖ
となる。このように、接点間電圧Ｖｉを２６Ｖとして接触不良が起きにくい電圧に設定している。このとき、掃除機本体（第２の装置）３７での検知電圧Ｖｏは、
Ｖｏ＝３２Ｖ２６Ｖ＝６Ｖ
となる。
【００５５】
つぎに、塵埃検知手段３１により塵埃を検知しない場合は、トランジスタ１９、３２がオンして固定抵抗器３４が短絡されるため、ホースユニット３０の出力電圧Ｖｉは、
Ｖｉ＝（電源発生手段７の入力電圧）
＋（定電流源手段３６からの供給電流）×（抵抗値Ｒａ）
となる。ここで、抵抗値Ｒａは、固定抵抗器３５の抵抗値であるので、
Ｖｉ＝１０Ｖ＋（４０ｍＡ）×（２００Ω）
＝１８Ｖ
となる。このとき、掃除機本体（第２の装置）３７での検知電圧Ｖｏは、
Ｖｏ＝３２Ｖ１８Ｖ＝１４Ｖ
となる。
【００５６】
このようにして、ホースユニット３０からの状態信号を掃除機本体３７にて出力することができ、上記実施例１と同様に、位相制御角を決定する位相制御用ＩＣ１２の出力により、双方向性サイリスタ１３を介して、電動送風機１０を制御し、塵埃を検知した状態では、電動送風機１０の回転数を高くすることができる。
【００５７】
このように本実施例によれば、ホースユニット（第１の装置）３０と掃除機本体（第２の装置）３７とを２線の配線２５で接続し、掃除機本体３７からホースユニット３０へ動作電源を供給すると同時に、ホースユニット３０からの状態信号を掃除機本体２３に出力することができ、その出力は極めて検知しやすい直流電圧の絶対値で出力しているため、複雑な処理は不要なため、マイクロプロセッサなどは必要ではなく、低コスト化と開発時間の短縮を図ることができる。
【００５８】
また、ホースユニット３０と掃除機本体３７の接点について、塵埃があるときは、２６Ｖ４０ｍＡで、塵埃がないときは、１８Ｖ４０ｍＡであり、接触不良が極めて起きにくい設定であり、ホースユニット３０と掃除機本体３７の接続部位において接触不良が発生しにくくすることができる。
【００５９】
また、本実施例の場合は、全電流を４０ｍＡとしているため、一定電圧値Ｖｂ（３２Ｖ）を発生する電源部の負担が少なくてすみ、この電源部を小型にすることができる。
【００６０】
【発明の効果】
以上のように本発明の請求項１に記載の発明によれば、電動送風機を備える掃除機本体と、床用吸込具と、一端が前記掃除機本体に接続されるホースユニットと、一端が前記ホースユニットの他端に接続され、他端が前記床用吸込具に接続される延長管と、を備え、前記床用吸込具、前記ホースユニット、及び前記延長管のうちの何れかには、塵埃が流れる経路を流れる塵埃の有無に応じて信号を発生する状態信号発生手段と、前記状態信号発生手段に動作電圧を与える電源発生手段と、が設けられた第１の装置が配置されており、前記掃除機本体には、前記第１の装置に動作用電源を供給するとともに、前記第１の装置からの出力信号に応じて前記電動送風機を制御する第２の装置が配置されており、前記第１の装置および前記第２の装置は、前記第１の装置への動作用電源の供給と前記第１の装置からの出力信号の伝達とを２本の配線を用いて行うように構成されており、前記第１の装置は、前記第１の装置と前記第２の装置との間の配線間に印加される電圧値Ｖｉを出力信号として出力するとともに、前記状態信号発生手段からの信号に応じて前記電圧値Ｖｉを変化させており、前記第２の装置は、一定電圧値Ｖｂから前記電圧値Ｖｉを引いた電圧を電圧値Ｖｏとして検知し、前記電圧値Ｖｏに応じて前記電動送風機を制御しているため、第１の装置への動作用電源の供給と第１の装置からの出力信号の伝達を２本の配線を用いて、異なる位置に配置した第１の装置と第２の装置との間を省配線とすることができ、接点数や配線数を削減でき、コストを低減できるとともに、接続の信頼性を向上することができる。また、中規模回路ブロックを第１の装置内に配置することができ、高付加価値化を図ることができる。
【００６１】
さらに、第１の装置から出力する電圧値Ｖｉを、第２の装置にて一定電圧との差の電圧として検知することで、確実に検知することができ、信号処理することができる。
【００６２】
また、請求項２に記載の発明によれば、電源発生手段の電圧値は常に一定電圧Ｖｅに保ち、第１の装置に内蔵した抵抗器を前記電源発生手段に直列に接続し、第２の装置に一定電流値を発生する定電流源手段を設け、前記定電流源手段からの電流Ｉｏを前記抵抗器を通る経路に供給するとともに、前記抵抗器の抵抗値Ｒａを変化させることにより、第２の装置に信号を伝達するように構成したから、第１の装置から出力する電圧値Ｖｉを、第１の装置にて抵抗器の抵抗値Ｒａを変化させることにより第２の装置に信号を伝達することで、第２の装置に確実に伝達することができ、信号処理することができる。また、第２の装置からの出力電流は一定なので、定電圧Ｖｂの発生手段を小型化・低コスト化することができる。
【００６３】
また、請求項３に記載の発明によれば、第１の装置と第２の装置は、それらの間を使用者が工具なしに容易に着脱できる構成にしたから、第１の装置と第２の装置とをどのような位置にでも配置することができ、使用性を向上することができる。
【００６４】
また、請求項４に記載の発明によれば、第１の装置と第２の装置間の配線間に印加する電圧は、第１の装置と第２の装置との接続部位において接触不良が発生しにくい電圧に設定したから、第１の装置と第２の装置との間の配線間に印加する電圧を、電気的に接触不良が起こりにくい電圧（一般的に１５Ｖ以上）である１８Ｖ以上とすることにより、第１の装置と第２の装置との接続部位において接触不良が発生しにくくすることができる。
【００６５】
また、請求項５に記載の発明によれば、第１の装置と第２の装置間の配線に流す電流は、第１の装置と第２の装置との接続部位において接触不良が発生しにくい電流に設定したから、第１の装置と第２の装置との間の配線に流す電流を、電気的に接触不良が起こりにくい電流（一般的に１０ｍＡ以上）である１５ｍＡ以上することにより、第１の装置と第２の装置との接続部位において接触不良が発生しにくくすることができる。
【００６６】
また、請求項６に記載の発明によれば、表示手段と、任意の電圧値Ｖｚを有する定電圧発生手段とを第１の装置と第２の装置間の配線に並列接続し、第１の装置の出力電圧値Ｖｉが電圧値Ｖｚよりも高い場合に表示するようにしたから、運転状態の設定や、塵埃の有無などの状態変化などを、簡単な構成にて第２の装置内で表示することができる。
【００６７】
また、請求項７に記載の発明によれば、表示手段と、任意の電圧値Ｖｚを有する定電圧発生手段とを内蔵する第３の装置を第１の装置と第２の装置間の配線に並列接続し、第１の装置の出力電圧値Ｖｉが電圧値Ｖｚよりも高い場合に表示するようにしたから、表示手段を使用者が目視しやすい部位に配置する第３の装置に内蔵できるなど自由に配置することができる。
【図面の簡単な説明】
【図１】  本発明の第１の実施例の通信装置のブロック回路図
【図２】  同通信装置を備えた電気掃除機の斜視図
【図３】  本発明の第２の実施例の通信装置のブロック回路図
【図４】  従来の通信装置のブロック回路図
【図５】  同通信装置を備えた電気掃除機の斜視図
【図６】  同電気掃除機の塵埃を検知しないときの動作タイムチャート
【図７】  同電気掃除機の塵埃を検知したときの動作タイムチャート
【符号の説明】
７  電源発生手段
１６  ホースユニット（第１の装置）
１７  塵埃検知手段（状態信号発生手段）
２３  掃除機本体（第２の装置）
２５  配線
【図１】
0004674410.tif 000002
【図２】
0004674410.tif 000003
【図３】
0004674410.tif 000004
【図４】
0004674410.tif 000005
【図５】
0004674410.tif 000006
【図６】
0004674410.tif 000007
【図７】
0004674410.tif 000008